(57)【要約】【課題】表示部の保持体にネジ止めしているネジが外れた場合においても、簡単な構造で固定具の保持体への取付状態が保持され、固定具が保持体から外れるのが抑制されている表示装置、及び該表示装置を備えるテレビジョン受信機を提供する。【解決手段】テレビジョン受信機は、映像を表示する表示モジュール２と、箱状をなし、表示モジュール２を収容して保持するシャーシ２８と、ネジ筒９３を上面で支持する台座９１、及び台座９１の短側板部９１ｃに連設され、面方向に突出した突出片９２ｃを有し、シャーシ２８の前記外面に当接される当接板部９２を有する固定具９とを備える。シャーシ２８は、前記外面に、突出片９２ｃを嵌合する嵌合部２７を備える。【選択図】図７
2015230461.tif 000002
【特許請求の範囲】
【請求項１】
前側で映像を表示する表示部と、箱状をなし、該表示部の一部が開口から突出した状態で該表示部を収容して保持する保持体と、前記開口に対向する底板の外面に取り付けられており、後側に突出したネジ筒により前記保持体を壁に固定する固定具とを備える表示装置において、
前記固定具は、
前記ネジ筒を上面で支持する台座と、
該台座の基部の一部に連設されており、その周縁の一部に、面方向に突出した突出片を有し、前記保持体の前記外面に当接される当接板部と
を備え、
前記保持体は、
前記外面に、前記突出片を嵌合する嵌合部を備えることを特徴とする表示装置。
【請求項２】
前記保持体は、前記外面に、前記底板の後側に突出する凸部を備え、
前記当接板部は、前記凸部に嵌合する孔を有することを特徴とする請求項１に記載の表示装置。
【請求項３】
前記底板はネジ孔を有し、
前記当接板部は、ネジを挿通して前記ネジ孔に螺合するネジ挿通孔を有することを特徴とする請求項１又は２に記載の表示装置。
【請求項４】
前記台座は角筐状をなし、
該台座の前記外面に当接する開口縁部の対向する部分の外側にそれぞれ前記当接板部を有することを特徴とする請求項１から３までのいずれか１項に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、映像を表示する表示部、及び該表示部を保持する保持体を備える表示装置、並びに該表示装置を備えるテレビジョン受信機に関する。
【背景技術】
【０００２】
例えば液晶テレビジョン受信機等のテレビジョン受信機（以下、ＴＶ受信機という）は、正面側で映像を表示する表示パネル、及び表示パネルに光を照射するバックライトを有する表示モジュールと、表示モジュールを挟むようにして収容する合成樹脂製のフロントキャビネット及びリアキャビネットと、スタンドとを備える。表示モジュールは、全体として横長の略直方体状をなし、縦姿勢でフロントキャビネット及びリアキャビネットに収容されている。
バックライトは表示パネルの背面側に配され、光学シート、導光板、及びＬＥＤ基板をシャーシに収納してなる。
【０００３】
ＴＶ受信機の設置方式として、スタンドにより表示モジュールを支持する方式と、壁掛け方式とがある。例えば北米等においては、略５割のＴＶ受信機が壁掛け方式により設置されている。
ＴＶ受信機は、シャーシの背面にＶＥＳＡ（Video Electronics Standard Association）規格に準拠した雌ネジが設けられたネジ筒を有する固定具を４つ設けてあり、ネジを壁側の取付具及びリアキャビネットのネジ挿通孔に挿通して、固定具の雌ネジに螺合することによって、壁に固定されることが多い。
【０００４】
特許文献１には、壁掛用のネジ筒が外力で移動することがあっても、ネジ筒の移動を規制し、ネジ筒が抜出るのを阻止することができる壁掛用板体を有する表示装置の発明が開示されている。具体的には、壁掛用板体は略短冊状をなし、長手方向及び幅方向へ離隔した４箇所に第１孔から離隔した第２孔及び該第２孔の縁部から折曲げられている突片を設け、突片の先端部を第１孔側へ折曲げて阻止片を形成してあり、雌ネジを有するネジ筒の鍔部を第１孔に係止し、鍔部に阻止片を対向させてネジ筒が前記一端部の側から抜出るのを阻止している。この特許文献１の構造は複雑であり、かしめ工程を有するので製造が煩雑であるという問題があった。
【０００５】
特許文献１の表示装置のように、壁掛用板体にネジ筒を設け、壁掛用板体をシャーシにネジ筒止めする構造と異なり、近年、ネジ筒を例えば角筺状をなす台座の上面に設け、台座をシャーシ又は補強金具にネジ止めすることが多くなっている。
この場合、振動、又は経年のずれ等により、固定具をシャーシ又は補強金具に止めているネジが緩み、外れることがある。壁掛け時にネジが外れた場合、固定具がシャーシ又は補強金具から外れることがあり、これは即、ＴＶ受信機の脱落に繋がり、危険であるという問題があった。
従って、固定具をシャーシ又は補強金具に固定するネジが外れた場合でも、固定具が容易に外れない構造が求められている。
【先行技術文献】
【特許文献】
【０００６】
【特許文献１】特開２０１２−１８５４５８号公報
【発明の概要】
【発明が解決しようとする課題】
【０００７】
本発明は斯かる事情に鑑みてなされたものであり、保持体にネジ止めしているネジが外れた場合においても、簡単な構造で固定具の保持体への取付状態が保持され、固定具が保持体から外れるのが抑制されている表示装置、及び該表示装置を備えるテレビジョン受信機を提供することを目的とする。
【課題を解決するための手段】
【０００８】
本発明に係る表示装置は、前側で映像を表示する表示部と、箱状をなし、該表示部の一部が開口から突出した状態で該表示部を収容して保持する保持体と、前記開口に対向する底板の外面に取り付けられており、後側に突出したネジ筒により前記保持体を壁に固定する固定具とを備える表示装置において、前記固定具は、前記ネジ筒を上面で支持する台座と、該台座の基部の一部に連設されており、その周縁の一部に、面方向に突出した突出片を有し、前記保持体の前記外面に当接される当接板部とを備え、前記保持体は、前記外面に、前記突出片を嵌合する嵌合部を備えることを特徴とする。
【０００９】
本発明に係る表示装置は、前記保持体は、前記外面に、前記底板の後側に突出する凸部を備え、前記当接板部は、前記凸部に嵌合する孔を有することを特徴とする。
【００１０】
本発明に係る表示装置は、前記底板はネジ孔を有し、前記当接板部は、ネジを挿通して前記ネジ孔に螺合するネジ挿通孔を有することを特徴とする。
【００１１】
本発明に係る表示装置は、前記台座は角筐状をなし、該台座の前記外面に当接する開口縁部の対向する部分の外側にそれぞれ前記当接板部を有することを特徴とする。
【００１２】
本発明に係るテレビジョン受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【発明の効果】
【００１３】
本発明の表示装置によれば、突出片が嵌合部に嵌合されているので、台座を保持体にネジ止めしているネジが外れた場合においても、固定具の保持体への取付状態が保持され、固定具が保持体から外れるのが抑制されている。
【図面の簡単な説明】
【００１４】
【図１】本発明の実施の形態１に係るＴＶ受信機の外観斜視図である。
【図２】ＴＶ受信機を裏側から見た状態を示す斜視図である。
【図３】ＴＶ受信機のリアキャビネットを外した状態を示す背面図である。
【図４】表示モジュールを裏側から見た状態を示す斜視図である。
【図５】固定具の取付部分を示す一部拡大背面図である。
【図６】固定具の取付部分を示す一部拡大斜視図である。
【図７】固定具の取付部分を示す一部縦断面図である。
【図８】本発明の実施の形態２に係る固定具のシャーシへの取付部分を示す一部背面図である。
【図９】本発明の実施の形態３に係る固定具のシャーシへの取付部分を示す一部背面図である。
【図１０】本発明の実施の形態４に係る固定具のシャーシへの取付部分を示す一部斜視図である。
【図１１】固定具のシャーシへの取付部分を示す一部背面図である。
【図１２】本発明の実施の形態５に係る固定具のシャーシへの取付部分を示す一部背面図である。
【発明を実施するための形態】
【００１５】
以下、本発明をその実施の形態を示す図面に基づいて具体的に説明する。
実施の形態１．
図１は本発明に係るテレビジョン受信機（以下、ＴＶ受信機という）１の外観斜視図、図２はＴＶ受信機１を裏側から見た状態を示す斜視図、図３はＴＶ受信機１のリアキャビネットを外した状態を示す背面図、図４は表示モジュール２を裏側から見た状態を示す斜視図、図５は固定具９の取付部分を示す一部拡大背面図、図６は固定具９の取付部分を示す一部拡大斜視図、図７は固定具９の取付部分を示す一部縦断面図である。
なお、図１においては、ＴＶ受信機１を壁に掛けた状態を示しており、図２及び図３においては、ＴＶ受信機１をスタンド６により支持して床置きした状態を示している。
【００１６】
ＴＶ受信機１は、表示パネル２１を有する表示モジュール２と、該表示モジュール２を挟むようにして収容する合成樹脂製のフロントキャビネット３及びリアキャビネット４と、複数のスピーカを内蔵したスピーカボックス５と、２つのスタンド６と、アンテナ（不図示）から放送波を受信するチューナ１１と、符号化された放送波を復号するデコーダ１２とを備える。表示モジュール２は、全体として横長の略直方体状をなし、縦姿勢でフロントキャビネット３及びリアキャビネット４内に収容されている。
【００１７】
フロントキャビネット３は、矩形枠状をなす。
リアキャビネット４は、表示モジュール２の側面及び背面を覆うように箱状をなしている。リアキャビネット４には、複数の放熱スリット４１が設けられている。
【００１８】
スタンド６は、足部６２と、足部６２から上側に延出した支持軸６１とを備える。
【００１９】
図７に示すように、表示モジュール２は、表示パネル２１と、光学シート２２と、導光板２３と、反射シート２４と、ＬＥＤ基板（不図示）と、シャーシ２８と、パネルシャーシ（不図示）とを備える。
表示パネル２１は、カラーフィルタ基板と、液晶層と、ＴＦＴ基板と、偏光板とを有する。カラーフィルタ基板とＴＦＴ基板とはシール材を挟んで互いに貼り合わされており、その間に液晶層が挟持されている。そして、偏光板は、カラーフィルタ基板及びＴＦＴ基板の液晶層側とは反対側の面上にそれぞれ配されている。
【００２０】
シャーシ２８は、表示パネル２１側が開口された略箱状をなす。そして、シャーシ２８に、光学シート２２、導光板２３、反射シート２４、ＬＥＤ基板が収納されている。
【００２１】
導光板２３は矩形板状をなし、表示パネル２１側に対向する主面と、主面の反対面でシャーシ２８に対向する裏面と、一対の長側面と、一対の短側面とを有する。そして、下側の長側面が、導光板２３内に光を導入するための光入射面として機能し、該長側面から導光板２３内へ導入された光は、導光板２３の主面から表示パネル２１側に向かって出射する。
【００２２】
光学シート２２は、拡散シート、レンズシート及びＤＢＥＦシート（反射型偏光シート）等を含むシート群であり、導光板２３の主面上に配されている。そして、この光学シート２２によって、導光板２３の主面から出射された光の拡散及び集光等が行われる。
【００２３】
ＬＥＤ基板は、導光板２３内へ導入する光を生成するためのものであり、導光板２３の前記長側面側に配されている。ＬＥＤ基板の基板本体の平面に、複数のＬＥＤが実装されている。ＬＥＤ基板は、導光板２３の前記長側面に沿って延び、複数のＬＥＤが導光板２３の長側面と対向するように配される。
【００２４】
パネルシャーシは枠状をなす。パネルシャーシの正面側部分はフロントキャビネット３との間で表示パネル２１を挟持し、パネルシャーシ３０の側面側部分はシャーシ２８の側面を支持している。
以上の構成により、表示パネル２１とバックライトとが一体化されている。
ＬＥＤ基板から発光した光は、導光板２３の長側面から入射し、主面から出射して、表示パネル２１の背面が照射される。
【００２５】
図３に示すように、シャーシ２８の裏面の中央部には、前記チューナ１１、デコーダ１２、及びＣＰＵ等を備えるメイン基板収納部２９が設けられ、メイン基板収納部２９に隣接して、アンテナ入力端子、ＵＳＢ（登録商標）端子、ヘッドホン端子、及びＢ−ＣＡＳカード挿入口等を有する端子パネル２６が設けられている。
シャーシ２８の下側の長辺部分の両端部には、取付具８，８が設けられている。取付具８は断面がコの字状をなす。ＴＶ受信機１を床置きにする場合、取付具８にスタンド６の支持軸６１を挿通した上で、リアキャビネット４の外側から支持軸６１にネジを螺合することにより、スタンド６を表示モジュール２に取り付ける。
【００２６】
シャーシ２８のメイン基板収納部２９が設けられている中央部分の両側には、上下に４箇所、固定具９が設けられている。
固定具９は、台座９１と、当接板部９２，９２と、ネジ筒９３とを備える。
台座９１は角筺状をなす。横長の矩形状をなす上板部９１ａと、一対の長側板部９１ｂ，９１ｂと、一対の短側板部９１ｃ，９１ｃとを備える。長側板部９１ｂと短側板部９１ｃとの間には切り込みが設けられている。
短側板部９１ｃには、縦長の矩形状をなす当接板部９２が連設されている。
【００２７】
当接板部９２には、上から順に、ネジ挿通孔９２ａ、凸部嵌合孔９２ｂ、ネジ挿通孔９２ａが設けられている。そして、当接板部９２の長手方向の両端部には、舌片状をなす突出片９２ｃが突設されている。また、一方の当接板部９２の長辺の中央部には、幅広の舌片状をなす９２ｄが設けられている。
【００２８】
台座９１の上板部９１ａには、表示モジュール２の後側に突出するように、ネジ筒９３が設けられている。ネジ筒９３は雌ネジ９３ａを有する。
シャーシ２８には、突出片９２ｃに対応して、開口を下に向けたポケット状をなす嵌合部２７が設けられ、ネジ挿通孔９２ａに対応して雌ネジ２８ａが設けられ、凸部嵌合孔９２ｂに対応して凸部２８ｂが設けられている。
【００２９】
以上のように構成された固定具９は、上側の突出片９２ｃ，９２ｃを嵌合部２７，２７に嵌合し、凸部嵌合孔９２ｂ，９２ｂを凸部２８ｂ，２８ｂに嵌合した状態で、４つのネジ３０をネジ挿通孔９２ａに挿通し、雌ネジ２８ａに螺合することにより、シャーシ２８に取り付けられる。
そして、壁固定用のネジ（不図示）を壁側の取付具（不図示）及びリアキャビネット４のネジ挿通孔に挿通して、固定具９のネジ筒９３の雌ネジ９３ａに螺合することによって、ＴＶ受信機１が壁にセットされる。
【００３０】
本実施の形態においては、凸部嵌合孔９２ｂ，９２ｂが凸部２８ｂ，２８ｂに嵌合され、突出片９２ｃ，９２ｃが嵌合部２７，２７に嵌合されているので、ネジ３０を雌ネジ２８ａに螺合するときに、突出片９２ｃが嵌合部２７の背面の内側にロックされ、固定具９のシャーシ２８への取付状態が強固になる。
そして、振動、又は経年のずれによりネジ３０が緩んで外れ、ＴＶ受信機１が下側に少しずれ落ちた場合においても、嵌合部２７の基部（上部）が突出片９２ｃに引っ掛かり、それ以上動くのが抑止されるので、固定具９はシャーシ２８に保持され続けることになり、壁掛け時にＴＶ受信機１が落下するのが防止される。また、上下の固定具９，９は壁の取付具により一体化されており、ＴＶ受信機１がずれ落ちた場合において、嵌合部２７に負荷が集中することはない。
【００３１】
実施の形態２．
本発明の実施の形態２に係る固定具９は、実施の形態１に係る固定具９と同一の構造を有し、シャーシ２８へのネジ止めの個数が４個ではなく、２個である点が実施の形態１と異なる。
図８は、実施の形態２に係る固定具９のシャーシ２８への取付部分を示す一部背面図である。図中、図５と同一部分は同一符号を付して詳細な説明を省略する。
図８に示すように、本実施の形態においては、２つのネジ３０，３０が、台座９１の上板部９１ａの対角線上にある、すなわち図８の右上側及び左下側のネジ挿通孔９２ａ，９２ａを挿通されて、シャーシ２８の雌ネジ２８ａ，２８ａに螺合されている。
【００３２】
本実施の形態においては、凸部嵌合孔９２ｂ，９２ｂが凸部２８ｂ，２８ｂに嵌合され、突出片９２ｃ，９２ｃが嵌合部２７，２７に嵌合されており、固定具９のシャーシ２８への取付が強固である。従って、当接板部９２，９２の全てのネジ挿通孔９２ａにネジ３０を挿通して雌ネジ２８ａに螺合せず、２つのネジ３０のみをネジ挿通孔９２ａに挿通して、雌ネジ２８ａに螺合する構成であっても、固定具９のシャーシ２８への取付状態が良好に保持される。
従って、部品点数を減じ、ネジ止めの作業時間を減じることができ、製造コストを減じることができる。
【００３３】
実施の形態３．
本発明の実施の形態３においては、固定具９の長手方向をシャーシ２８の短手方向に一致させた状態で、固定具９に取り付けている点が、実施の形態１の構成と異なる。
図９は実施の形態３に係る固定具９のシャーシ２８への取付部分を示す一部背面図、図１０は固定具９のシャーシ２８への取付部分を示す一部斜視図である。図中、図５と同一部分は同一符号を付して詳細な説明を省略する。
【００３４】
本実施の形態においては、嵌合部２７は横長であり、上下に配された当接板部９２，９２の凸部嵌合孔９２ｂ，９２ｂがシャーシ２８の上下に設けられた凸部２８ｂ，２８ｂに嵌合された状態で、当接板部９２の長辺に設けられた突出片９２ｄが嵌合部２７に嵌合されている。そして、当接板部９２，９２の４つのネジ挿通孔９２ｂにネジ３０が挿通されて、シャーシ２８の雌ネジ２８ａに螺合されている。
【００３５】
本実施の形態においては、凸部嵌合孔９２ｂ，９２ｂが凸部２８ｂ，２８ｂに嵌合され、突出片９２ｄが嵌合部２７に嵌合されており、固定具９のシャーシ２８への取付が強固であるので、固定具９のシャーシ２８への取付状態が良好に保持される。
本実施の形態は、表示モジュール２の長手方向の長さが短い場合等に、固定具９をコンパクトにシャーシ２８に取り付けることができる。
【００３６】
実施の形態４．
本発明の実施の形態４に係る固定具９は、実施の形態３に係る固定具９と同一の構造を有し、シャーシ２８へのネジ止めの個数が４個ではなく、２個である点が実施の形態３と異なる。
図１１は、実施の形態４に係る固定具９のシャーシ２８への取付部分を示す一部背面図である。図中、図９及び図１０と同一部分は同一符号を付して詳細な説明を省略する。
図１１に示すように、本実施の形態においては、２つのネジ３０，３０が、台座９１の上板部９１ａの対角線上にある、すなわち図１１の左上側及び右下側のネジ挿通孔９２ａ、９２ａを挿通されて、シャーシ２８の雌ネジ２８ａ，２８ａに螺合されている。
【００３７】
本実施の形態においては、凸部嵌合孔９２ｂ，９２ｂが凸部２８ｂ，２８ｂに嵌合され、突出片９２ｄが嵌合部２７に嵌合されており、固定具９のシャーシ２８への取付が強固である。従って、当接板部９２，９２の全てのネジ挿通孔９２ａにネジ３０を挿通して、雌ネジ２８ａに螺合せず、２つのネジ３０をネジ挿通孔９２ａに挿通して、雌ネジ２８ａに螺合する構成であっても、固定具９のシャーシ２８への取付状態が良好に保持される。
従って、部品点数を減じ、ネジ止めの作業時間を減じることができ、製造コストを減じることができる。
【００３８】
実施の形態５．
本発明の実施の形態５においては、固定具９をネジ３０を用いずにシャーシ２８に取り付けている点が、実施の形態１と異なる。
図１２は、実施の形態５に係る固定具９のシャーシ２８への取付部分を示す一部背面図である。図中、図５と同一部分は同一符号を付して詳細な説明を省略する。
【００３９】
本実施の形態５に係る固定具９においては、一方の短側板部９１ｃに当接板部９２が連設されており、当接板部９２の長辺に突出片９２ｄが設けられている。そして、他方の短側板部９１ｃには当接板部９２より縦横の長さが大きい矩形状をなす当接板部９４が連設されている。当接板部９４の長手方向の両端部には、突出片９４ｃ，９４ｃが設けられ、当接板部９４の中央部には凸部嵌合孔９４ｂが設けられている。
【００４０】
シャーシ２８には突出片９２ｄに対応して、左側に開口を有するポケット状をなす嵌合部２７ａが設けられている。そして、突出片９４ｄ，９４ｄに対応して、それぞれ下側，上側に開口を有する嵌合部２７ｂ，２７ｂが設けられている。また、凸部嵌合孔９４ｂに対応して、後側に突出した凸部２８ｃが設けられている。
【００４１】
本実施の形態においては、凸部２８ｃに凸部嵌合孔９４ｂを嵌合し、突出片９４ｃ，９４ｃを嵌合部２７ｂ，２７ｂに嵌合し、横方向から突出片９２ｄを嵌合部２７ａに嵌合する。そして、嵌合部２７ａ，２７ｂ，２７ｂにハーフパンチを施すことにより、突出片９２ｄが嵌合部２７ａに固着され、突出片９４ｄ，９４ｄが嵌合部２７ｂ，２７ｂに固着される。
従って、ネジ３０を用いなくても固定具９をシャーシ２８に取り付けることができる。
【００４２】
以上のように、本発明の表示装置（１）は、前側で映像を表示する表示部（２）と、箱状をなし、該表示部の一部が開口から突出した状態で該表示部を収容して保持する保持体（２８）と、前記開口に対向する底板の外面に取り付けられており、後側に突出したネジ筒（９３）により前記保持体を壁に固定する固定具（９）とを備える表示装置において、前記固定具は、前記ネジ筒を上面で支持する台座（９１）と、該台座の基部の一部に連設されており、その周縁の一部に、面方向に突出した突出片（９２ｃ、９２ｄ）を有し、前記保持体の前記外面に当接される当接板部（９２）とを備え、前記保持体は、前記外面に、前記突出片を嵌合する嵌合部（２７）を備えることを特徴とする。
【００４３】
本発明においては、突出片が嵌合部に嵌合されているので、台座を保持体にネジ止めしているネジが外れた場合においても、固定具の保持体への取付状態が保持され、固定具が保持体から外れるのが抑制されている。
【００４４】
本発明の表示装置は、前記保持体は、前記外面に、前記底板の後側に突出する凸部（２８ｂ）を備え、前記当接板部は、前記凸部に嵌合する孔（９２ｂ）を有することを特徴とする。
【００４５】
本発明においては、保持体が備える凸部に、当接板部の孔が嵌合しているので、固定具の保持体への取付がより強固になる。すなわち、台座を持ち上げないと、固定具が保持体から分離されないので、固定具が保持体から外れるのがより抑制される。
【００４６】
本発明の表示装置は、前記底板はネジ孔（２８ａ）を有し、前記当接板部は、ネジを挿通して前記ネジ孔に螺合するネジ挿通孔（９２ａ）を有することを特徴とする。
【００４７】
本発明においては、固定具を保持体にネジ止めするので、固定具の保持体への取付がより強固になる。
【００４８】
本発明の表示装置は、前記台座は角筐状をなし、該台座の前記外面に当接する開口縁部の対向する部分の外側にそれぞれ前記当接板部（９２、９２、９４）を有することを特徴とする。
【００４９】
本発明においては、簡単な構造で、容易に、確実に固定具を保持体に取り付けることができる。
【００５０】
本発明の表示装置は、一方の当接板部（９２、９４）は、長手方向の端部に前記突出片（９２ｃ、９４ｃ）を備え、他方の当接板部（９２）は、短手方向の端部に前記突出片（９２ｄ）を備えることを特徴とする。
【００５１】
本発明においては、固定具が縦方向及び横方向に動くのが規制されるので、固定具の保持体への取付がより強固になる。
【００５２】
本発明のＴＶ受信機（１）は、上述のいずれかの表示装置と、テレビジョン放送を受信する受信部（１１）とを備え、前記受信部にて受信したテレビジョン放送に基づいて、前記表示装置に映像を表示するようにしてあることを特徴とする。
【００５３】
本発明においては、ＴＶ受信機を壁に掛けた場合に、振動又は経年のずれが生じたときにおいてもＴＶ受信機が落下するのが抑制されている。
【００５４】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【符号の説明】
【００５５】
１  ＴＶ受信機
２  表示モジュール
２１  表示パネル
２２  光学シート
２３  導光板
２４  反射シート
２６  導光板ホルダ
２７、２７ａ、２７ｂ  嵌合部
２８  シャーシ
２８ａ  雌ネジ
２８ｂ  凸部
３  フロントキャビネット
４  リアキャビネット
６  スタンド
９  固定具
９１  台座
９２、９４  当接板部
９２ａ  ネジ挿通孔
９２ｂ  凸部嵌合孔
９２ｃ、９２ｄ、９４ｃ  突出片
９３  ネジ筒
１１  チューナ
３０  ネジ
【図１】
2015230461.tif 000003
【図２】
2015230461.tif 000004
【図３】
2015230461.tif 000005
【図４】
2015230461.tif 000006
【図５】
2015230461.tif 000007
【図６】
2015230461.tif 000008
【図７】
2015230461.tif 000009
【図８】
2015230461.tif 000010
【図９】
2015230461.tif 000011
【図１０】
2015230461.tif 000012
【図１１】
2015230461.tif 000013
【図１２】
2015230461.tif 000014